(57)【要約】      （修正有）【課題】海中発電の大きなテーマであるいかに大量の発生する排海水を完壁に船外に排出が行なえるものかと思案を重ねた結果本方法に依る２重筒排出うねり筒部分による方法を発見したものであり、本方法に依り確実に大量の排海水が船外部分に放出が行なわれる事となる。自然えの負荷となる常時限られた海水の還流のみに頼っていては海水温の上昇となる事は必定の為に常に海水の入れ替え量を検討を行ない水温の上昇等の無い様に配慮すべきである。【解決手段】排水設備のどこかに海水温度を下げる働きをする冷却装置等を設置するものとする。【選択図】図１
2013221497.tif 000002
【特許請求の範囲】
【請求項１】
船上上部に設けられた回転扇発電機等の稼動に使用された大量の排海水と船中海中水槽内に貯留を行ない、その排水の最大の難敵である深海水圧の噴出流入を押さえる為に、まず海中水槽部分に対応さす為に下部部分に「停止時使用遮断壁」の設置に依る深海水の侵入上昇が遮断される事により、その間に次々と上部回転扇からの排海水が海中水槽内に侵入が行なわれ、ある一定水準までの侵入が行なわれるとまず「海中水槽」内の下部に設置がされた「二段階排出外側下段排出口」部分より次々と排水が侵入を行ない「外側回転放出流うねり翼」部分は満水となる。
そして同時に「内側筒回転放出２本うねり筒」内にも次々と排海水が充満する事となり、そして同時に「停止時使用遮断壁」の解除が行なわれ回転放出の準備が整う事となる。
そしてその稼動開始時には、強烈な上部回転分銅等の稼動力で短時間での高速回転域へと到達する為に大量の排海水の放出等により海中水槽内の排海水不足等が生じるものであるが、その時には「海水侵入予備取込口Ａ、Ｂ」部分より常時海水の取込みが行なわれ常時一定量の排海水が保持されるものである。
そして上部回転扇の回転に連結接続設置がされた中心軸部分の回転が当然「２本うねり筒」「外側うねり翼」部分の回転となり、外側部分、「外回転扇」内渦回転流内へと排海水の放出回転循還が始まる事となる。
そしてその時の上部海中水槽内に於いて、１箇所のうねり筒への侵入であれば、回転が遅い場合等、又大波等に依る大きく揺れる時等又より大きな回転力が必要等々不都合が予想される事となる。
本申請の通り海中水槽内の「二段階排出外側下段排出口」より排海水と「うねり翼」状態に設置された「外側回転うねり翼」内に次々と排出される排海水に依り、まず大きく回転扇連結接合軸の回転負荷が大幅に軽減される事と内側設置の「うねり筒」部分の回転負荷も同時に大きく軽減がされる事となる。
そして排出口に於ける強力な回転渦流の発生も排出回転力は各々別々の出口よりの排出の為に双方の勢いがお互い完全に生きている状態の強力な回転排出力となるものである。
そして「外回転扇」内部分に派生した強烈な回転渦流内に瞬時に溶け込んで次々と大量の排海水が処理される排出装置と、同時に上部回転扇発電設備に高圧噴出水の供給が行なわれ常時噴出と排水が繰り返される循環発電装置と回転うねり筒活用による海中発電設備。
そして図３の通り海中発電船内に「浮力緩衝海上通水開口部」を設け本件申請の回転うねり排水装置を海上方向方面に設置を行なえば水圧が大きく軽減された海中に次々と排水が放出される事となる排海水処理方法。
【発明の詳細な説明】
【技術分野】
【０００１】  本発明は海上海中に於いて「外回転扇」の設置活用に依る「外回転扇」内と本海中発電船内の間に回転流を起こし、その回転流の中に本申請の回転うねり筒内より順次排海水を放出し、再度その海水の回転噴出行為を繰り返し発電を行なう回転扇の活用を併用した回転うねり筒海中発電船設備。【０００２】  本発明は画期的な新技術である。【０００３】  以上の通り図１〜図３により説明する。【０００４】  回転扇に高水圧噴出を行ない発電を行ないその排海水を下部に設置をした水槽に貯留をし、その海水を本申請の回転うねり筒の回転押し下げ作用の活用に依りその排水を「外筒回転放出流うねり翼」「内側筒回転放出２本うねり管」内を通して回転を行ない乍ら、「外回転扇」設置内部分に放出を行なうものとする。
その時すでに「外回転扇」の高速回転による高速回転渦流が発生しているものであり、その中に順次各うねり筒内よりの押出し排海水の排出がなされ再度船上喫水線下部分よりの海水取込みによる回転扇に高水圧噴出が繰り返される事となる。【０００５】
【特許文献】特にありません。
【発明の概要】
【発明が解決しようとする課題】いかに大量の排海水の順調排出が完壁に且つ大量に出来る方法を思案しているものであり、本装置利用活用の為にまず「外回転扇」の回転渦流作用を併用活用を行ない、各うねり筒内より上部水槽内よりの押し出される形での排出を行ない、その回転を継続させる事に依る連続した継続排出をより安定した排出設備としての構成を確立しようとするものである。
又「外回転扇」を設置しない場合には、排出うねり筒部分を図３の様に海中海上方面に向けて設置をし排水を行なう事とする。
【課題を解決するための手段】  本排出設備で大きな課題は当然発電船内に設置がされた貯留水槽部分えの深海よりの海水の侵入であるが図１の通り稼動時以外は完壁に「停止時使用遮断壁」の設置に依り深海水の上昇侵入は完全に防止されるものであり大きな課題の一つが完全に解消される事となる。
そして稼動時には「停止時使用遮断壁」は下部部分「海水出入口」部分に収納がされる事となる。
【発明の効果】  深海部分での本当の意味での水圧とは何も横（側）面部分からの水圧恐怖等は鉄板等の対応で対処出来るが、海中船内部の海中空間大気圧部分に対する下海部分からの深海水の船内大気圧に対する侵入噴き上げ水圧力の対処がまず１番の難問題であるが、本発明に依り、深海水が直接に船内海中空間部分に噴き上がって来る事はうねり筒の作用に依り大きく減少がなされその「うねり筒」のすぐ外側部分に設置がされた「外筒回転放出流うねり翼」内には瞬時に上部海中空間（水槽部分）より海水の侵入がなされ深海水の侵入が大きく阻まれる事となる。
後はしっかりと「うねり筒」「うねり翼」の回転を行なえば、次々と排水が「うねり筒」「うねり翼」内に取り込まれたら、下部放出口部分では周囲の強烈な回転渦流に呑まれた状態で放出が次々となされる事となる。
又図３の排出方法に於いては海上面方向に排水が行なわれる為に水圧等の抵抗が殆んど無い「浮力緩衝海上通水開口部」の存在に依り放出水圧の心配が無い為に大変軽快に排水が行なわれる事となる。
【図面の簡単な説明】
【図１】船上部分に回転扇を設置をし、その下部部分に「空気容器浮力調整器」を設置した海中水槽部分と各排出設備と外回転扇設置の全体図である。
【図２】海中発電船内に２基〜４基の回転発電設備と各排出装置の設置図と全体の「外回転扇」図の全体図である。
【図３】海中発電船内に「浮力緩衝海上通水開口部」部分を設けその開口部方向に「回転うねり筒排出口」を向けて排水を行なう排出装置図である。
【発明を実施するための形態】
〔図１〕
まず海中船内に於いて喫水線部分より５ｍ〜１０ｍ下部分に回転扇発電設備を設置をし、その排出を下部分の海中水槽内に放出をし、その水槽内の上部部分に「空気容器浮力調整器」の設置を行ないその浮力を利用して回転扇内設置の回転分銅等の引力に依る重量物降下負荷の軽減を行なうものとする。
そして下部部分に設置がされた「内側うねり筒」「外側うねり翼」部分の詳細図と排水が放出と同時に外回転扇の回転に依る渦回転流内に消えて行く全体図を示したものである。
〔図２〕
図１と同様に上部排海水と「うねり筒」「うねり翼」の設置に依り最下部排出口部分迄の放出を行なう図と同時に２基〜４基の大規模回転扇発電設備の設置全体図を示したものである。
〔図３〕
海中発電船の排水部分の「回転うねり筒排出口」を「浮力緩衝海上通水開口部」方向に向けて排出を行なう事に依り、水圧の殆んど無い海中部分に排水がされる事に依りより軽快な排水が行なわれる事により海中発電船の最大の懸案である軽快な大量排水が実現するものである。
又特に水深と海中船規模も大きく改良がされて浅海部分設置又水深２０ｍ〜３０ｍの普通のタンカー等の水深とほぼ浅海部分での設置で充分であり、あとは海底部分にしっかりとロープ等で固定設置が出来れば防波、波動対策等は簡単に対処が出来浅海部分、湾内、湾外等々設置場所が大きく増える事が可能となる。
【図１】
2013221497.tif 000003
【図２】
2013221497.tif 000004
【図３】
2013221497.tif 000005